(57)【要約】【課題】  本体を木質とした置き時計又は掛け時計であり、複数個が一組として構成される木目を形成した木製時計の提供。【解決手段】  木製の本体２ａ，２ｂ，２ｃはその表面７ａ，７ｂ，７ｃに木目３ａ，３ｂ，３ｃ・・を有し、そして一組と成る時計本体表面に形成される木目３ａ，３ｂ，３ｃ・・は互いに連続し、表面７ａ，７ｂ，７ｃには時を刻む針９，１０を設け、裏面８ａ，８ｂ，８ｃに形成した凹部１１ａ，１１ｂ，１１ｃには該針９，１０を駆動する機器を取付けている。【選択図】    図１
2011252900.tif 000002
【特許請求の範囲】
【請求項１】
本体を木質とした置き時計又は掛け時計において、該置き時計又は掛け時計は複数個を一組として構成し、木製の本体はその表面に木目を有し、そして一組と成る時計本体表面に形成される木目は互いに連続した木目を形成し、
表面には時を刻む針を設け、裏面に形成した凹部には該針を駆動する機器を取付けたことを特徴とする木目を形成した木製時計。
【請求項２】
本体の両側面を切削することなく樹木の外皮を剥いた状態の湾曲面とした請求項１記載の木目を形成した木製時計。
【請求項３】
本体の上端面及び下端面を切削することなく樹木の外皮を剥いた状態の湾曲面とした請求項１記載の木目を形成した木製時計。
【発明の詳細な説明】
【技術分野】
【０００１】
本発明は複数個の時計を一組とし、これら時計本体の木目が互いに繋がることによって組み合わされる木製時計に関するものである。
【背景技術】
【０００２】
近年、時計をお祝いの品や引き出物として使用する場合は多い。これには色々な理由があるであろうが、見栄えが良い割りに比較的手頃な値段であること、又時計は毎日使うものであることが主な理由であろう。従って、結婚式のお祝いの品、新築祝いの品など、又結婚式の引き出物の品、法事の引き出物として時計が使われるケースが多い。
【０００３】
本発明が対象とする時計は不特定多数の人に贈る引き出物ではないが、２個ないし３個の時計を記念の品として贈るものであるが、従来の時計は工場で大量生産したものであり、その為に個々の時計に個性はない。すなわち、同じタイプの時計は数多く存在する為に、時計としての機能は十分に発揮できるが、心に残る印象は少ない。増して、時計が結婚した２人の絆を助長するといった働きは存在しない。
【０００４】
従来、結婚式のお祝いの品としてペアの腕時計を贈る場合は多い。すなわち、男性用の腕時計と女性用の腕時計を対にして贈ることが出来、何時までも心に残る腕時計となる。このように、腕時計に関しては男性用と女性用がペアとして売り出しているケースは多く、多数人が着用している。しかし、ペアの腕時計といっても、世の中には同じものが数多く販売され、２個のみのペア時計と言えるものではない。そして、置き時計や掛け時計に関してはペアとして製作されるものは存在しない。
【０００５】
本発明が対象とする時計は本体を木製とした木製時計であるが、木製時計に関しては従来から色々知られている。例えば、特開２０００−３２９８６５に係る「木枠時計」は、時計枠を構成する各木片の収縮率の違いにより時計枠の前面や外周面に生ずる段差を緩和して外観見栄えを向上している。
矩形状の木製時計枠は、上辺に対応した上板と、下辺に対応した下板と、左側辺に対応した左側板と、右側辺に対応した右側板とを接合して枠組みした構造となっている。上板と左側板との接合面、上板と右側板との接合面、下板と左側板との接合面、下板と右側板との接合面には、時計枠の奥行き方向中央部を境として両側部分であって、かつ時計枠の幅方向中央部よりも時計枠の外周面寄りの部分にそれぞれ円柱状の木製固定ピンが設けられ、この固定ピンを介して当該接合面を境として両側の各板がそれぞれ連結固定されている。
【０００６】
特開平８−２９５５２号に係る「木枠掛時計」は、壁などに掛けたときに自重で破損するおそれのない木枠掛時計を安価に作ることが出来るようにしている。
木製の前枠の背面に木製の側枠が設けてある。前枠の背面には機械体取付板を介して時計機械体が取り付けてある。側枠の天板には掛金具を挿通可能な切欠部が形成してあり、この切欠部にはコ字状に屈成された掛金具の前端部が貫通し、天板の上方にて前枠背面にねじ止め固定してある。掛金具の中間部は天板の下面に当接し、それに連なる後端部は前端部と平行になるように上方に屈成されている。
【特許文献１】特開２０００−３２９８６５に係る「木枠時計」
【特許文献２】特開平８−２９５５２号に係る「木枠掛時計」
【発明の開示】
【発明が解決しようとする課題】
【０００７】
このように、今日多種多様な時計が存在しているが、２個が一組として構成した置き時計や掛け時計、又は３個が一組として構成した置き時計や掛け時計は存在しない。本発明が解決しようとする課題はこの点であり、２個ないし３個が互いに関連した外観を呈して絆を助長することが出来る木製の置き時計又は掛け時計を提供する。
【課題を解決するための手段】
【０００８】
本発明に係る置き時計又は掛け時計はその本体を木製とし、樹木の木目を関連付けることで２個の時計を１組として構成し、又は３個の時計を１組として構成している。すなわち、複数の時計を配列するならば、本体表面の木目は互いに繋がって連続するようにしている。そして、木製の本体表面に針（短針、長針）を取付け、本体の背面側に機器を設けて該針を駆動するように構成している。又、振り子を備えた時計の場合には、振り子が見えるように本体表面に穴を形成している。針は短針と長針の他に秒針を備える場合もある。
【０００９】
機器を取付ける時計本体と成る木材は、木本来の特徴を出す為に側面又は上下面は外皮を剥いたままの状態が適している。そして厚さは一定としているが寸法は特に限定せず、背面側に凹部を設けて時を刻む針を駆動する為の機器が収容される。そして、針が取付けられる本体表面には時刻を表示する為の数字、又は記号が記載されている。
【発明の効果】
【００１０】
本発明に係る時計は置き時計又は掛け時計を対象とし、本体は木材から成っている。従って、金属製又はプラスチック製の時計に比較して暖かく感じ、日本間にはその外観が調和することが出来る。そして、木材から成る本体表面には樹木の木目が表面化し、２個ないし３個の時計を配列するならば、本体表面の木目は互いに繋がり、１組の時計として構成される。
【００１１】
従って、結婚祝いとして２個１組の時計を贈ることが出来る。又、結婚式に両親への感謝の気持ちとして２個一組の時計を贈ることができる。更に３個を一組として、両方の家族と本人がそれぞれ１個づつ所持することが出来る。勿論、贈りものとしての用途は限定しないが、２個の時計本体はその表面木目が互いに連続して繋がっていることで、互いの結び付きを時計で表現することが出来、有効である。
【図面の簡単な説明】
【００１２】
【図１】３個が一組と成って構成した本発明の時計表面を示す具体例。
【図２】３個が一組と成って構成した本発明の時計表面を示す具体例。
【図３】３個が一組と成って構成した本発明の時計裏面を示す具体例。
【発明を実施するための形態】
【００１３】
図１は本発明に係る掛け時計を表している具体例であり、３つの時計１ａ，１ｂ，１ｃが一組として構成されている。同図は３つの時計１ａ，１ｂ，１ｃが互いに配列している状態であるが、それぞれの時計１ａ，１ｂ，１ｃは独立して使用される。そして、これら時計１ａ，１ｂ，１ｃは木製であって、本体２ａ，２ｂ，２ｃには木材が使用されている。該本体２ａ，２ｂ，２ｃの厚さ寸法、及び幅寸法は一定であるが、高さはバラバラで異なっている。
【００１４】
すなわち、１本の樹木を長手方向に沿って所定厚さに切断し、これを上記幅と同一寸法にて切断することで本体２ａ，２ｂ，２ｃとしており、本体２ａ，２ｂ，２ｃの上端面４ａ，４ｂ，４ｃ及び下端面５ａ，５ｂ，５ｃは樹木の外皮を剥いた状態と成っている。すなわち、上端面４ａ，４ｂ，４ｃ及び下端面５ａ，５ｂ，５ｃは切断することなく樹木の湾曲した特徴をそのまま具現した形状としている。勿論、上端面４ａ，４ｂ，４ｃ及び下端面５ａ，５ｂ，５ｃも両側端６，６・・・と同じく切断して平坦面とすることもある。
【００１５】
表面７ａ，７ｂ，７ｃと裏面８ａ，８ｂ，８ｃは平坦面になるように磨かれ、同じく両側面６，６・・・も所定寸法に切断した後で磨かれている。ところで、同図の３ａ，３ｂ，３ｃ・・・は樹木の木目を表している。本発明の時計１ａ，１ｂ，１ｃの本体２ａ，２ｂ，２ｃには上記木目３ａ，３ｂ，３ｃが形成され、これら各木目３ａ，３ｂ，３ｃ・・・は連続した形状と成っている。
【００１６】
すなわち、個々の時計１ａ，１ｂ，１ｃとして見た場合には本体２ａ，２ｂ，２ｃの木目３ａ，３ｂ，３ｃは独立して所定の形状をしているが、３つの時計１ａ，１ｂ，１ｃを同図のように配列するならば、それぞれの本体２ａ，２ｂ，２ｃの表面７ａ，７ｂ，７ｃに形成している木目３ａ，３ｂ，３ｃは１本の樹木として連続する。本発明の時計１ａ，１ｂ，１ｃは複数個が１組と成って構成するものであるが、個々の時計１ａ，１ｂ，１ｃは互いに独立して時を刻むことが出来る。しかし、これら複数の時計１ａ，１ｂ，１ｃは木目３ａ，３ｂ，３ｃを介して繋がっている。
【００１７】
従って、結婚祝いの品として新郎、新婦に２個の時計１ａ，１ｂを贈る場合、本体２ａ，２ｂの木目３ａ，３ｂ，３ｃ・・・を連続させることで２人の絆としての役目を果たすことが出来る。そして、時計である為に表面７ａ，７ｂ，７ｃには短針９と長針１０を有し、裏面側に設けた凹部１１ａ，１１ｂ，１１ｃに取付けた機器によってこれら短針９，９・・と長針１０，１０・・は駆動する。この機器は電子式であって、収容した乾電池によって起動し、該短針９及び長針１０が動いて時を刻むことが出来る。時計の電子機器の構造に関しては従来の電子時計と同じであり、その為に詳細な説明は省略する。
【００１８】
図２に示す時計１２ａ，１２ｂ，１２ｃは前記図１の時計１ａ，１ｂ，１ｃに用いた本体２ａ，２ｂ，２ｃと同じで外形を有しているが、同図に示す時計１２ａ，１２ｂ，１２ｃの本体１３ａ，１３ｂ，１３ｃには振子用の穴１４ａ，１４ｂ，１４ｃを設けている。そして裏面８ａ，８ｂ，８ｃに設けた凹部１１ａ，１１ｂ，１１ｃには短針９，９・・と長針１０，１０・・を駆動する機器を取付けており、この機器は短針９，９・・及び長針１０，１０・・と共に振子を駆動することが出来る。
【００１９】
図３は上記時計１２ａ，１２ｂ，１２ｃの裏面側を示している。本体裏面８ａ，８ｂ，８ｃには凹部１１，１１ｂ，１１ｃが設けられ、この凹部１１ａ，１１ｂ，１１ｃに短針９，９・・、長針１０，１０・・、及び振子を駆動する電子機器が取付けられている。
【００２０】
ところで、図１、図２に示す時計は掛け時計であり、置き時計として構成する場合には、上端面及び下端面を切削した平坦面とし、両側面は樹木を外皮を剥いた状態とした本体として構成することが出来る。
【符号の説明】
【００２１】
１  時計
２  本体
３  木目
４  上端面
５  下端面
６  側端面
７  表面
８  裏面
９  短針
10  長針
11  凹部
12  時計
13  本体
14  穴
【図１】
2011252900.tif 000003
【図２】
2011252900.tif 000004
【図３】
2011252900.tif 000005